(57)【要約】【課題】連続記録媒体の接合部分に対する特別な制御機構を設ける必要が無い画像記録装置及び画像記録装置の制御方法を提供することを課題とする。【解決手段】検出部１０によって記録媒体２の接合部分の位置を検出する。タイミング制御部３２は、接合部分がどのページに含まれるかを求め、そのページに対する画像記録処理を行わないように、第１の画像記録部８及び第２の画像記録部９を制御する。また接合部分が切断部６による切断予定位置と重なるときは、タイミング制御部３２は切断部６を制御して、接合部分と重ならないように切断位置をずらす。【選択図】  図２
2012000815.tif 000002
【特許請求の範囲】
【請求項１】
上位装置からの画像記録情報に基づき、搬送部により搬送される連続記録媒体に画像記録部により当該連続記録媒体にページ単位で画像記録及び切断を行う画像記録装置において、
前記搬送部に備えられた前記連続記録媒体の搬送情報を生成するエンコーダと、
前記連続記録媒体の接合部を検出する検出部と、
前記連続記録媒体を前記画像記録情報に基づき所定長のページに切断する切断部と、
前記画像記録情報、及び前記搬送情報から前記ページ単位に前記記録媒体を切断する切断予定位置を求め、当該切断予定位置及び前記検出部により検出結果から、前記接合部の位置が前記切断予定位置と一致するかどうかを判断し、当該判断結果に応じた画像記録制御および切断制御を行うタイミング制御部と、
を備えることを特徴とする画像記録装置。
【請求項２】
前記タイミング制御部は、前記接合部が前記切断予定位置と一致せず、当該切断予定位置の間に含まれると判断した場合、前記切断部は前記上位装置の情報に基づき継続して切断を行い、前記画像記録部を制御して前記切合部が含まれるページに対して画像記録を行わせず、当該切合部が含まれたページの次のページから前記画像記録を再開することを特徴とする請求項１に記載の画像記録装置。    
【請求項３】
前記タイミング制御部は、前記接合部が前記切断予定位置に一致すると判断した場合、前記接合部が位置する前記切断予定位置での切断を中止して、前記切断部による切断タイミングを所定時間遅延させて前記所定の切断長さを延長して切断し、かつ前記画像記録部に前記接合部が存在するページに前記画像記録を行わせず、当該接合部が存在するページに画像記録すべき情報は次のページに画像記録することを特徴とする請求項１に記載の画像記録装置。
【請求項４】
前記接合部は、前記連続記録媒体を繋ぐテープを含む接合部材の当該連続記録媒体搬送方向の長さを範囲とすることを特徴とする請求項１乃至請求項３に記載の画像記録装置。
【請求項５】
上位装置からの画像記録情報に基づき、搬送部により搬送される連続記録媒体に画像記録部により当該連続記録媒体にページ単位で画像記録及び切断を行う画像記録装置の制御方法であって、
前記連続記録媒体の搬送情報を生成し、
前記連続記録媒体の接合部を検出し、
前記画像記録情報及び前記搬送情報から前記ページ単位に前記記録媒体を切断する切断予定位置を求め、前記接合部の位置が前記切断予定位置と一致するかどうかを判断し、当該判断結果に応じた画像記録制御および切断制御を行うことを特徴とする画像記録装置の制御方法。
【請求項６】
前記接合部が前記切断予定位置と一致せず、当該切断予定位置の間に含まれると判断した場合、前記切断部は前記上位装置の情報に基づき継続して切断を行い、前記接合部が含まれるページに対して画像記録を行わず、当該接合部が含まれたページの次のページに画像記録を再開する制御をすることを特徴とする請求項５に記載の画像記録装置の制御方法。
【請求項７】
前記接合部が前記切断予定位置と一致すると判断した場合、当該接合部が一致する切断予定位置での切断を中止して、前記切断のタイミングを所定時間遅延させて前記所定の切断長さを延長して切断し、かつ前記接合部を含むページに対して画像記録を行わず、当該ページに画像記録すべき情報は次のページに画像記録する制御をすることを特徴とする請求項５に記載の画像記録装置の制御方法。
【発明の詳細な説明】
【技術分野】
【０００１】
本発明は、記録媒体にインクを定着させて画像を記録する画像記録装置、及び画像記録装置の制御方法に関し、特に記録媒体の切断部を備えた画像記録装置、および画像記録装置の制御方法に関する。
【背景技術】
【０００２】
用紙やフィルム等をロール状に巻装した記録媒体（以下連続記録媒体という）にインクを吐出することで画像を記録する画像記録装置が知られている。このような画像記録装置では、画像が記録された連続記録媒体は、所定の長さに切断されて排出される。
【０００３】
このような連続記録媒体を使用する画像記録装置では、連続記録媒体の残量が少なくなった場合、例えば今まで用いていた連続記録媒体に新しい連続記録媒体をテープ等で継いで、連続記録媒体の交換作業を行う。
【０００４】
しかし画像記録装置内をこのようなテープで継いだ連続記録媒体を搬送した場合、連続記録媒体の接合部分が下流のカット位置近傍に位置すると、連続記録媒体と共にテープも切断することになってしまう。そしてこのことは、カッターの寿命を短くし、また連続記録媒体が詰まる要因となる。
【０００５】
この問題を解決するため、連続記録媒体の接合部分をカット位置近傍に位置させないように制御する技術が特許文献１に開示されている。
特許文献１では、連続記録媒体の交換をニップローラの位置で新旧の連続記録媒体を両面テープで継ぐことによって行う。そして、記録媒体の流量を検出するセンサと、回転体に接続されたナイフの偏位量を検出するセンサを備え、これらのセンサからの検出値から連続記録媒体の継目部が切断部分に来ないように、制御を行っている。
【０００６】
また、特許文献２に開示されている装置でも、連続用紙の交換を色のついたスプライシングテープで接続することによって行うことが開示されている。そして装置にこの接続部分を検出する検知センサを設けることによって、接続部がトナーを定着させる定着部上に停止している場合は、停止位置を通り過ぎるまで再搬送するように制御する技術が開示されている。
【先行技術文献】
【特許文献】
【０００７】
【特許文献１】特開平５−２７０７０６号公報
【特許文献２】特開平３−１９８６０号公報
【発明の概要】
【発明が解決しようとする課題】
【０００８】
特許文献１に開示されている技術では、連続記録媒体の接合部分がカット位置近傍とならないように連続記録媒体を繰り出して接合部分の位置調整を行っているが、この技術を実現するには画像記録装置が貯蔵ウェブ、ダンサ等を必要とする。そのため装置が複雑且つ大型化してしまうという問題がある。
【０００９】
また、特許文献２においては、スプライシングテープを検出して接合部分の停止位置が定着部近傍にならないように制御する点については開示があるが、切断処理時の接合部分に対する制御に関しては何ら開示がない。このため特許文献２に開示の技術では、接合部分に画像記録処理を施すことは避けることが出来るが、接合部分をカッターで切断してしまう恐れがある。
【００１０】
そこで、本発明は上記課題に鑑みてなされたものであり、連続記録媒体の接合部分に対する特別な制御機構を設ける必要が無い画像記録装置及び画像記録装置の制御方法を提供することを課題とする。
【００１１】
また連続記録媒体の接合部分がカット位置近傍にこないように制御することが出来る画像記録装置、及び画像記録装置の制御方法を提供することを課題とする。
【課題を解決するための手段】
【００１２】
本画像記録装置は、上位装置からの画像記録情報に基づき、搬送部により搬送される連続記録媒体に画像記録部により当該連続記録媒体にページ単位で画像記録及び切断を行う画像記録装置において、前記搬送部に備えられた前記連続記録媒体の搬送情報を生成するエンコーダと、前記連続記録媒体の接合部を検出する検出部と、前記連続記録媒体を前記画像記録情報に基づき所定長のページに切断する切断部と、前記画像記録情報、及び前記搬送情報から前記ページ単位に前記記録媒体を切断する切断予定位置を求め、当該切断予定位置及び前記検出部により検出結果から、前記接合部の位置が前記切断予定位置と一致するかどうかを判断し、当該判断結果に応じた画像記録制御および切断制御を行うタイミング制御部と、を備えることを特徴とする。
【００１３】
本画像記録装置の制御方法は、上位装置からの画像記録情報に基づき、搬送部により搬送される連続記録媒体に画像記録部により当該連続記録媒体にページ単位で画像記録及び切断を行う画像記録装置の制御方法であって、前記連続記録媒体の搬送情報を生成し、前記連続記録媒体の接合部を検出し、前記画像記録情報及び前記搬送情報から前記ページ単位に前記記録媒体を切断する切断予定位置を求め、前記接合部の位置が前記切断予定位置と一致するかどうかを判断し、当該判断結果に応じた画像記録制御および切断制御を行う、ことを特徴とする。
【発明の効果】
【００１４】
連続記録媒体に接続部分が存在する場合においても、接続部分を含むページに対しては記録画像を行わないように制御される。これによりバリアブル印刷時のページ欠落を防止することが出来る。
【００１５】
また連続記録媒体の接合部分と切断部による切断位置とが重ならないように制御する。これにより切断部の寿命を延ばすと共に、連続記録媒体が搬送路上に詰まるのを防止することができる。
【図面の簡単な説明】
【００１６】
【図１】本実施形態における画像記録装置の全体構成を示す概念図である。
【図２】本実施形態の画像記録装置を制御部を中心に記載したブロック図である。
【図３】本実施形態の画像記録装置の検出部、画像記録部、及び切断部の位置関係を示す説明図である。
【図４】記録媒体の接合部分と切断位置との関係を示す概念図である。
【図５】図４での第１画像記録部への記録タイミング信号及び切断タイミング信号の出力状態を示すである。
【図６】制御部の動作処理を示すフローチャートである。
【発明を実施するための形態】
【００１７】
以下、図面を参照して本発明の一実施形態について詳細に説明する。尚、以下の説明では、本実施形態の画像記録装置として、インクジェット方式のフルライン型プリンタ装置の例を用いて説明する。なお本実施形態の画像記録装置の記録形式はインクジェット方式に限定されるものではなく、静電誘導方式等他の記録方式であっても良く、記録方式自体は特に限定されるものでは無い。
【００１８】
図１は、本実施形態における画像記録装置の全体構成を示す概念図である。
図１において、本実施形態の画像記録装置１は、記録媒体給送部３、画像記録部４、搬送部５、切断部６、排出部７及び後述する制御部３１を有する。記録媒体給送部３は、連続したロール状の連続記録媒体（以下、単に記録媒体とする）２を巻装するものである。画像記録部４は、画像データに基づいてインクを吐出して記録媒体２に画像記録を行うものである。搬送部５は、画像記録部４によって画像記録が行われた記録媒体２を所定の張力と速度とで搬送するものである。切断部６は、画像記録が行われた記録媒体２を所定長に切断するものである。排出部７は、切断された記録媒体２を排出するものである。
【００１９】
記録媒体給送部３は、不図示の記録媒体接合部を有し、記録媒体２の補給交換時にはこの記録媒体接合部によって記録媒体２の接合を行なう。尚、以下の説明では、記録媒体２の接合はテープにより行なうものとするが、本実施形態はこのような接合の仕方に限定されるものではなく、例えば接着剤によって接合する等、接合部分が検出できる接合方法であれば他の接合方法であっても良い。
【００２０】
媒体接合部の下流には検出部１０が配設される。検出部１０は搬送路上を通過する記録媒体２の接合部分を検出し、制御部３１に通知するものである。検出部１０は、反射型の光学センサを用いるが、透過型もしくはラインセンサなどの構成でもよい。また検出部１０は、記録媒体２の厚みを検出することによって接合部分を検出する構成であっても良い。
【００２１】
画像記録部４は、記録媒体２の第１面（表面）に画像記録を行う第１画像記録部８、及び記録媒体２の第１面の裏面に当たる第２面に画像記録を行う第２画像記録部９を有する。画像記録部４の第１画像記録部８に対向する位置に第１ドラム１１、第２画像記録部９に対向する位置に第２ドラム１３が配設される。そして記録媒体２は、この第１ドラム１１及び第２ドラム１３により巻回保持される。
【００２２】
また第１ドラム１１には搬送情報生成部１２が配設され、この搬送情報生成部１２の出力から記録媒体の搬送情報を取得し、制御部３１に出力する。搬送情報生成部１２は、例えばロータリーエンコーダにより構成される。以下の例ではこのロータリーエンコーダの分解能を０．１ｍｍ／パルスとし、記録媒体２が０．１ｍｍ搬送される毎に１パルス出力されるものとする。なおこの値は一例であり、本実施形態の画像記録装置１はこのような構成に限定されるものではない。以下では、搬送情報生成部１２から出力されるパルス数をＰＬＳと表現する。
【００２３】
搬送部５は、記録媒体２を挟持し、記録媒体２を下流側に向けて搬送するニップローラ対１４を有している。このニップローラ対１４は、ニップローラ駆動モータ１５によって駆動する。
【００２４】
切断部６は、所定の回転数で回転するカット側回転体としてのカットローラ１６と、受け側回転体としてのアンビルローラ１７を、記録媒体２を切断可能なように対向配置して備えている。カットローラ１６の外周面にはカッター刃１８が設けられており、このカッター刃１８によって記録媒体２の切断が行われる。
【００２５】
カットローラ１６は、カットローラ駆動モータ１９を駆動源とするが、カットローラ駆動モータ１９は上記搬送情報生成部１２から出力される搬送情報から制御パルスを生成し、この制御パルスによってカッター刃１８の回転速度を制御している。
【００２６】
排出部７は、排出ローラ対２２、記録媒体スタッカ２３、廃棄媒体スタッカ２４、及び切換板２５を備えている。記録媒体スタッカ２３は、画像記録が行われた記録媒体２を収納するものである。廃棄媒体スタッカ２４は、後述するように破棄する記録媒体２を収納するものである。排出ローラ対２２は、切断された記録媒体２を各スタッカに導くものである。切換板２５は、記録媒体２を記録媒体スタッカ２３に排出するか、または廃棄媒体スタッカ２４に排出するかの搬送路の切り換えを行なうものである。
【００２７】
図２は、本実施形態の画像記録装置１を制御部３１を中心に記載したブロック図である。同図において、画像記録装置１は、上位装置３３と接続されている。
制御部３１は、例えばパーソナルコンピュータ（ＰＣ）等の上位装置３３から通知されるジョブ情報を受信し、このジョブ情報を画像記録処理開始の指示として画像記録装置１の各構成要素の制御を行う。この上位装置３３から通知されるジョブ情報には、画像記録処理に用いられる画像データの他に、各ページの大きさを指示する情報を含む。
【００２８】
制御部３１には、前述した記録媒体給送部３、搬送部５、切断部６、排出部７、第１画像記録部８、第２画像記録部９及び検出部１０がそれぞれ接続され、これらから出力される情報を収集すると共に、前述のジョブ情報に基づいてこれらに駆動指示を与える。また制御部３１は、タイミング制御部３２を有し、切断部６による記録媒体２の切断の制御や画像記録部４による画像記録処理の制御タイミングを生成する。タイミング制御部３２は、第１画像記録部８の記録開始タイミング、第２画像記録部９の記録タイミング及び切断部６における切断タイミングの各信号を演算生成して、これらを制御するする。
【００２９】
なお本実施形態の画像記録装置１は、記録媒体２の切断処理に切断の基準位置を示す、いわゆるカットマークは使用しない構成とすることが出来る。この場合画像記録処理開始の基準となるタイミングや記録媒体２の切断タイミングは、タイミング制御部３２で生成され、このタイミングで各処理は制御される。また本実施形態の画像記録装置１は、カットマークを使用する構成としても実現できる。この場合は、例えば第１画像記録部８で記録媒体２にカットマークを記録し、このカットマークを読み取ることによって切断部６による切断タイミングを生成する。
【００３０】
次に本実施形態の画像記録装置１の処理動作を説明する。
本実施形態１は、画像記録処理を開始するとき、記録媒体２が前述のようにロール状に巻回された状態で記録媒体給送部３に取り付けられている。そしてこのロール状の記録媒体２には、不図示の制動機構によりバックテンションが付与されている。
【００３１】
上位装置３３からジョブ情報が通知され、画像記録処理の実行が指示されると、画像記録装置１では、制御部３１がニップローラ対１４を制御して、搬送速度を一定に保ちながら記録媒体２を第１画像記録部８に搬送する。そして、第１画像記録部８は、対面する記録媒体２の第１面（表面）に対し、画像記録処理を行なう。さらに記録媒体２が搬送されると、第２画像記録部９は記録媒体２の第２面に画像記録処理を行う。
【００３２】
画像記録処理が終了すると、画像を記録した記録媒体２は切断部６へと給送される。
本実施形態の画像記録装置１では、ページ単位に記録媒体２を切断する方法として、上述したロータリ式の切断部６を用いている。この切断部６のカッター刃１８の周速度を、記録媒体２の搬送速度と記録媒体切断長で決定される速度で回転させることで、カッター刃１８がアンビルローラ１７側に押し付けられ、記録媒体２を所定のサイズに切断する。
【００３３】
カットローラ１６の駆動軸上にはカッター刃１８の位置を検出するための刃物位置情報生成部２０が設けられている。この刃物位置情報生成部２０は、例えばアブソリュートエンコーダで構成される。カッター刃１８の装着位置をアブソリュートエンコーダの原点位置とした場合、カットローラ１６の全外周長とアブソリュートエンコーダの分解能とから、カッター刃１８の現在位置から次回の切断位置までの外周長を求めることができる。記録媒体２は、このカットローラ１６とアンビルローラ１７との間に導入されることで切断されるので、記録媒体２はカットローラ１６が１回転する間にカッター刃１８が移動する距離の長さに切断される。
【００３４】
切断された記録媒体２は、排出部７へと給送される。この段階では記録媒体２は枚葉となっている。
制御部３１は搬送情報生成部１２から出力されるパルス数を数えることによって、切断された記録媒体２が記録処理済みのものか、記録処理が行われるページの前後の白紙状態のものであるかを判断することができる。そして制御部３１は、切換板２５を制御し、記録処理済みの記録媒体２は記録媒体スタッカ２３へ、記録処理が行われるページの前後の白紙状態の記録媒体２は廃棄媒体スタッカ２４へとそれぞれ給送する。
【００３５】
次に、本実施形態の画像記録装置１の特徴部分について説明する。
図３は本実施形態の画像記録装置１の検出部１０、画像記録部４、及び切断部６の位置関係を示す説明図である。
【００３６】
図３において、記録媒体２を切断する切断部６による切断位置２１、検出部１０、第１画像記録部８、及び第２画像記録部９間の距離は各画像記録装置１固有の値として既知であり、以下のようになっている。
【００３７】
検出部１０と第１画像記録部８の間の距離・・・Ｌ１（ｍｍ）
第１画像記録部８と第２画像記録部９の間の距離・・・Ｌ２（ｍｍ）
検出部１０とカット位置２１の間の距離・・・Ｌ３（ｍｍ）
上記条件を前提として、まず第２画像記録部９による記録処理のタイミングについて説明する。
【００３８】
本実施形態の画像記録装置１では、第１画像記録部８と第２画像記録部９は距離Ｌ２だけ離れて配置されているため、第１画像記録部８と第２画像記録部９で同じタイミングで記録処理を行なうと、当然ながらその記録媒体２の表裏で画像の記録位置がずれてしまう。これに対処するため、タイミング制御部３２は、第１画像記録部８に出力する記録タイミング信号を記録媒体２が離間距離Ｌ２だけ搬送される時間分遅延させて第２画像記録部９に対して出力する。
【００３９】
上記したように搬送情報生成部１２の分解能は０．１ｍｍ／ＰＬＳであるため、第１画像記録部８が記録処理を開始してから第２記録部９が記録処理を開始するまでの遅延量を搬送情報生成部１２の出力パルス数で表すと下式のようになる。
【００４０】
遅延量＝  Ｌ２／０．１（ＰＬＳ）
上記式から、第２画像記録部９による画像記録処理の開始を指示する記録タイミング信号は、第１画像記録部８へのタイミング信号が通知されてからＬ２／０．１パルス分遅延させて出力されるのが分かる。
【００４１】
次に、本実施形態の画像記録装置１での第１画像記録部８による記録処理のタイミングと切断部６による切断処理のタイミングの関係について説明する。
まず記録媒体２の画像記録処理を行う範囲に接合部分がない場合について説明する。この場合、タイミング制御部３２は、上位装置３３からのジョブ情報で指示されたページサイズ、たとえばＡ４サイズ（２９７ｍｍ）となるように第１画像記録部８及び切断部６へ記録タイミング信号と切断タイミング信号を生成する。これによって画像記録装置１からは、指定された大きさに画像記録がなれ、これが指定されたページサイズに切断されて、記録媒体スタッカ２３に排出される。
【００４２】
第１画像記録部８とカット位置２１はＬ３（ｍｍ）離間しているため、切断タイミング信号は搬送情報生成部１２のパルス数にして
遅延量  ＝  Ｌ３／０．１（ＰＬＳ）
だけ記録タイミング信号に対して遅延した信号となる。
【００４３】
なお上記例では、上位装置からのジョブ情報によるページサイズがＡ４サイズの画像を記録、切断するものとして説明しているが、本例はこのようなページサイズに限定されるものではない。
【００４４】
次に、記録媒体２の画像記録処理を行う範囲に接合部分が存在する場合について説明する。
記録媒体２の接合部分は、他の部分とは状態が異なるので、破棄する必要がある。
【００４５】
この破棄処理は、同一画像を連続して複数ページ画像記録する場合は、接合部分のある記録済みのページの記録媒体２を廃棄するだけでよい。しかし、ページ毎に異なる画像を記録するバリアブル印刷の場合は、画像記録処理を行った後に接合部分のあるページを破棄すると、記録媒体スタッカ２３に排出される記録媒体２はページが欠落したものとなってしまう。
【００４６】
この点に対処するため本実施形態の画像記録装置１では、制御部３１は、記録媒体２の接合部分にかかる部分に対しては画像記録処理を行わず、その接合部分を含むページとして切断し廃棄する処理を行うように制御する。
【００４７】
本例では検出部１０と第１画像記録部８の離間距離はＬ１（ｍｍ）である。よって制御部３１は、検出部１０が記録媒体２の接合部分を検出してから搬送情報生成部１２のパルスが到達パルス数（＝Ｌ１／０．１（ＰＬＳ））だけ入力されると、接合部分が第１画像記録部８に到達することを認識する。
【００４８】
また制御部３１は、検出部１０が接合部分を検出してから、第１画像記録部８に対する次の記録タイミング信号が出力されるまでの間、搬送情報生成部１２が出力するパルスを計数する。そしてこの計数結果と上記した到達パルス数、及びページサイズから、制御部３１は、記録媒体２の接合部分がどのページの中に入るか、あるいはページをまたがってしまうかを判断することができる。
【００４９】
図４は記録媒体の接合部分と切断位置との関係を示す概念図、図５は図４での第１画像記録部８への記録タイミング信号及び切断タイミング信号の出力状態を示す図である。
図４（ａ）は記録媒体２の接合部分４１がページの中間に入る場合を示しており、図５（ａ）はそのときの記録タイミング信号及び切断タイミング信号を示している。
【００５０】
図４（ａ）では、制御部３１は第１画像記録部８によってページＰｎからページＰｎ＋２まで画像記録を行う。そして制御部３１は、ページＰｎ＋２の次のページの区間、すなわち切断予定位置４２−ｎ＋２と４２−ｎ＋３ａの間の部分に接合部分４１が存在することを認識しているので、このページの区間では画像記録を行わない。よって図５（ａ）で示すとおり、ページＰｎ＋２の次のページに該当するタイミングでは記録タイミング信号を出力しない。そして１ページ画像記録をスキップしたならば、その次のページに該当するタイミングでページＰｎ＋３の画像記録を行うための記録タイミング信号を出力する。以下図示しないＰｎ＋４から最終ページまでの画像記録を行なう。
【００５１】
また切断部６に出力する切断タイミング信号では、図４（ａ）の場合は接合部分４１がページの中間にあり切断予定位置４２と重ならないと判断しているので、制御部３１は接合部分４１がない場合となんら変わることなく、Ａ４サイズに切断を行なうよう切断部６を制御する。すなわち、図５（ａ）に示すように、すべてのページに対して切断タイミング信号を出力する。これによって記録媒体２は、切断部６によって、切断予定位置４２−ｎ−１、４２−ｎ、４２−ｎ＋１、・・・を最終ページまで切断する。そして制御部３１は、切断された記録媒体２のうち、接合部分４１が含まれる画像記録がされていない記録媒体２のみを廃棄媒体スタッカ２４に導き、他のページの記録媒体２は記録媒体スタッカ２３へ導くよう切換板２５を制御する。これにより記録媒体スタッカ２３には画像記録がなされた記録媒体２のみが排出され、接合部分４１がある記録媒体２が混入するのを防止する。
【００５２】
次に、記録媒体２の接合部分４１がページをまたがり、切断予定位置４２と重なってしまう場合の切断方法について説明する。
図４（ｂ）は記録媒体２の接合部分４１がページをまたがる場合を示しており、図５（ｂ）はそのときの記録タイミング信号及び切断タイミング信号を示している。
【００５３】
図４（ｂ）では、制御部３１は第１画像記録部８に対してページＰｎからページＰｎ＋２まで通常通り画像記録を行っている。
そして制御部３１は、図４（ｂ）に示すように次ページの画像記録処理を行うに当たって記録媒体２の接合部分４１の位置を求め、その結果接合部分４１が切断予定位置４２−ｎ＋３ａに重なってしまうと判断する。したがって制御部３１は、ページＰｎ＋３ａには画像記録処理を行わない。また制御部３１は、接合部分４１と切断予定位置４２が重ならないように、切断予定位置４２−ｎ＋３ａをαだけ遅延させて切断予定位置４２−ｎ＋３ａ’に移動する。これにより切断位置３１は、画像記録を行わないページＰｎ＋３ａ中に位置するようになり、またページＰｎ＋２の次の画像記録は続くページＰｎ＋３ｂに行われる。
【００５４】
この図５（ｂ）は、図４（ｂ）の処理を第１画像記録部８への記録タイミング信号及び切断部６への切断タイミング信号で表したものである。
同図ではページＰｎからＰｎ＋２までは、記録タイミング信号及び切断タイミング信号共に通常の周期で出力されている。しかし制御部３１は、検出部１０による接合部分４１の検出結果から、Ｐｎ＋２の次のページのＰｎ＋３ａの切断予定位置４２−ｎ＋３ａが接合部分４１と重なってしまうことを認識する。
【００５５】
したがって制御部３１は、Ｐｎ＋２の次のページに対する記録タイミング信号を記録媒体２がＡ４＋α分搬送される時間だけ遅延させて第１画像記録部８に出力する。また制御部３１は、切断タイミング信号を、記録媒体２が遅延量α分搬送される時間だけ遅延させて切断部６に出力する。
【００５６】
以下図示しないページＰｎ＋４から最終ページまでの画像記録を行ない、これらのページの切断処理を行う。
なお遅延量αの大きさについては、本実施形態の画像記録装置１では、制御部３１が接合部分４１の幅を検出部１０で計測して決定する構成とする。また接合部分４１の幅の大きさが一定であれば、この幅情報を制御部３１に図示しない入力部などから入力し、この入力値に基づいて制御部３１が遅延量αを決定する構成としても良い。
【００５７】
切断部６で行う切断処理では、図４（ｂ）の場合は接合部分４１が切断予定位置４２−ｎ＋３ａに当たってしまうことが分かっているため、上記したように切断タイミング信号を遅延量α分遅延させる。これにより切断部６のカッター刃１８で接合部分４１を切断して、カッター刃１８の寿命を縮めるのを防止することが出来る。
【００５８】
制御部３１は、Ｐｎ＋２ページの次のページに対する切断タイミング信号をα分遅延させて、切断予定位置４２−ｎ＋３ａを切断予定位置４２−ｎ＋３ａ’に移動し、切断長を長くする。このときの切断タイミング信号を見ると、図５（ｂ）で示すように、Ｐｎ＋２ページまでは、Ａ４の長さ搬送される時間で定周期に切断タイミング信号は出力される。そしてＰｎ＋２ページの次のページにおいて、その記録媒体２の接合部分４１が切断予定位置４２−ｎ＋３ａに当たってしまうので、切断タイミング信号をαだけ遅らせる。これによりＰｎ＋２ページの次のページの切断長はＡ４＋αとなり、接合部分４１に切断位置が来ることを避けることが出来る。
【００５９】
尚本実施の形態の切断部６では回転体のカットローラ１６を使用しているため、接合部分４１を避けるために切断長をαだけ長くするときは、このカットローラ１６の駆動周波数を
駆動周波数＝ｆ／（１＋α／Ａ４）  ：但しｆはＡ４サイズに切断するときの駆動周波数だけ低くするように制御する。
【００６０】
切断された記録媒体２に対して、制御部３１は、接合部分４１が含まれる記録がなされていない記録媒体２を廃棄媒体スタッカ２４に導くべく切換板２５を制御し、記録された記録媒体２への混入を防止する。
【００６１】
このように本実施形態の画像記録装置１では、記録媒体２に接合部分４１があるとき、その部分を避けて、画像記録処理及び切断処理を行うことが出来る。
次に画像記録装置１による別形態の切断処理の仕方について説明する。
【００６２】
図４（ａ）に示した切断処理では、１ページの大きさがＡ４である場合、接合部分４１があるページの切断長はＡ４の長さで記録媒体２を切断していた。
それに対して、本形態の切断処理の仕方では１ページの大きさによらず、接合部分４１の位置を基準として切断を行う。
【００６３】
図４（ｃ）にこの場合の記録媒体の接合部分４１と切断位置との関係を示す。
同図に示すように接合部分４１を含むページＰｎ＋３ａは、図４（ａ）の場合と同様画像記録処理が成されない。またこのページＰｎ＋３ａの切断予定位置４２−ｎ＋３ａは、接合部分４１の位置を基準にβだけ離れた位置で切断する。なおこのβの大きさは、接合部分４１が切断に影響を与えないだけ離れた距離であればよい。
【００６４】
この図４（ｃ）に示した別形態の切断処理の仕方では、図４（ａ）の処理の仕方に比して、破棄する記録媒体２の量を減少させることが出来る。
次に本実施形態の画像記録装置１が図４（ａ）及び図４（ｂ）に示す処理を行ったときの制御部３１の動作処理について図６に示すフローチャートに従って説明する。同図の処理は、制御部３１を構成する演算処理部が制御部３１内の不揮発性記憶部内の制御プログラムを実行することによって実現する。なお制御部３１は、上記したような制御プログラムを実行して処理を実現するのではなく、制御部３１内に専用のハードウエアを備え、そのハードウエアを制御することによって以下の処理を実現する構成であっても良い。
【００６５】
以下の説明では記録媒体２に記録処理及び切断処理を行うページサイズは、Ａ４サイズであるものとする。また第１画像記録部８と切断部の離間距離から発生する処理の遅延、及び第２画像記録部９による画像記録処理については説明の簡略化のため省略する。
【００６６】
同図の処理が開始されるとまず制御部３１は、ステップＳ１として上位装置３３からの画像記録要求の受信待ち状態となっている（ステップＳ１、Ｎ）。そして上位装置３３から画像記録要求であるジョブ情報を受信すると（ステップＳ１、Ｙ）、制御部３１はステップＳ２として搬送部５への駆動指示を行い、記録媒体２の搬送を開始させる。
【００６７】
次に制御部３１は、ステップＳ３でページ数をカウントするカウンタを０にセットする。このカウンタは次に切断処理を行う予定のページを示すものである。
次にステップＳ４で、制御部３１は検出部１０の検出結果から記録媒体２の接合部分４１の検出がされたかどうかを判断する。そして接合部分４１が検出されていないと判断したとき（ステップＳ４、Ｎ）、制御部３１はステップＳ５としてＡ４サイズの間隔Ｐｔｉｍで記録タイミング信号を第１画像記録部８に出力し、この記録タイミング信号に基づいたタイミングで第１画像記録部８は正面の記録媒体２に画像記録処理を行う。また制御部は、ステップＳ６でＡ４サイズの間隔Ｃｔｉｍで切断タイミング信号を出力し、この切断タイミング信号に基づいたタイミングで切断部６は記録媒体２の切断を行なった後処理をステップＳ７に移す。
【００６８】
一方ステップＳ４において、制御部３１が記録媒体２の接合部分４１が検出されたと判断すると（ステップＳ４、Ｙ）、制御部３１はステップＳ９において接合部分４１がカウンタの値で何ページになるかを演算し、この演算結果をＸとして自己の記憶部に記憶する。
【００６９】
次に制御部３１は、ステップＳ１０として、カウンタが示すページ数がステップＳ９で記憶したＸの値と一致しているかどうかを判定し、一致していないと判定したとき（ステップＳ１０、Ｎ）は、処理をステップＳ５に移し、上記したようにステップＳ５及びＳ６でＡ４サイズのタイミングで記録タイミング信号及び切断タイミング信号を出力後、処理をステップＳ７に移す。
【００７０】
またステップＳ１０において、カウンタが示すページ数と、接合部分４１のあるページを示すＸの値とが一致すると判定したとき（ステップＳ１０、Ｙ）、制御部３１は次にステップＳ１１でこの接合部４１がページの境界にあり、切断予定位置４２と重なるかどうかを判定する。この判定の結果、接合部分４１が切断予定位置４２と重ならないと判定したとき（ステップＳ１１、Ｎ）、制御部３１は、そのページに対する記録タイミング信号を出力するのを止め、ステップＳ１２としてＡ４サイズのタイミングＣｔｉｍで切断タイミング信号のみを出力後、処理をステップＳ７に移す。この処理により、第１画像記録部８は記録媒体２の接合部分４１が存在するページに対しては画像記録処理を行わず、切断部６に記録処理がなされていない記録媒体２のページの切断を行なわせる。
【００７１】
またステップＳ１１において、記録媒体２の接合部分４１がページの境界に当たると判定した場合（ステップＳ１１、Ｙ）、制御部３１はステップＳ１３において、遅延量αの値の演算を行なう。この遅延量αは前述したように接合部分４１を切断位置からずらすための遅延量である。この遅延量αは、接合部分４１が存在するページの次のページへの第１画像記録部８による画像記録開始位置をαだけ遅延させ、また接合部分４１を含むページの切断長をＡ４サイズ＋αとなるように制御するものである。なおこの遅延量αは、予め算出して制御部３１内の記憶部に記憶しておき、ステップＳ１３では、記憶部から遅延量αの値を読み出す構成としても良い。
【００７２】
次に制御部３１は、記録タイミング信号を出力せず、ステップＳ１４においてＡ４サイズ＋αのタイミングＣｔｉｍ＋αで切断タイミング信号のみを出力する。その後ステップＳ１５において、制御部３１はカウンタを１インクリメントする。そして次に制御部３１は、ステップＳ１６において接合部分４１を含むページの次ページに対してＡ４サイズ＋αのタイミングＰｔｉｍ＋αを出力して画像記録開始位置をαだけ遅延させる。続いてステップＳ１７で制御部３１は、Ａ４サイズのタイミングＣｔｉｍで切断タイミング信号を出力後、処理をステップＳ７に移す。
【００７３】
ステップＳ７では、切断した記録媒体２のページが最終ページであるかどうかを判断し、最終ページでないと判断したとき（ステップＳ７、Ｎ）はステップＳ８としてカウンタを１インクリメントして、ステップＳ４に処理を戻す。またステップＳ７で最終ページであると判定した場合は、ステップＳ１８として制御部３１は、搬送部５への駆動停止指示を行い、記録媒体２の搬送を停止させた後、本処理を終了する。
【００７４】
以上、説明したように、本実施の形態の画像記録装置１によれば、検出部１０で記録媒体２の接合部分４１を検出し、これに基づいて画像記録処理及び切断処理のタイミングを制御する。これにより、接合部分４１に対する特別な制御機構を備える必要が無く実現でき、バリアブル印刷を行っている途中で接合部分４１が第１画像記録部８に対向する位置に来ても、ページ欠落を発生せずに画像記録を継続できる。
【００７５】
また記録媒体２の切断位置と接合部分４１が重なることがないので、カッター刃１８の寿命の低下を防止し、かつ記録媒体２が詰まるのを防止することができる。
尚上記例では切断部６の構成をロータリーカッターを用いる例で説明したが、切断部６の構成はロータリーカッターを用いる構成に限定されルものではなく、ギロチンタイプのカッターまたは、レーザータイプのカッターを用いる構成でも良い。
【００７６】
また上記例では画像記録装置１は、第１画像記録部８と第２画像記録部９を備え、記録媒体２の両面に画像記録処理を行う構成としたが、記録媒体２の片面のみに画像記録を行う構成であっても良い。
【００７７】
さらに、本発明は上記実施形態に限定されるものではなく、実施段階ではその要旨を逸脱しない範囲で構成要素を変形して具体化できる。また本発明は、前述した実施形態に開示されている複数の構成要素の適宜な組み合わせにより、種々の発明をなすことができる。例えば、本発明の実施の形態に示される全構成要素から幾つかの構成要素を削除しても良いし、新たな構成要素を適宜組み合わせてもよい。
【符号の説明】
【００７８】
１  画像記録装置
２  記録媒体
３  記録媒体給送部
４  記録部
５  搬送部
６  切断部
７  記録媒体排出部
８  第１画像記録部
９  第２画像記録部
１０  検出部
１１  第１ドラム
１２  搬送情報生成部
１３  第２ドラム
１４  ニップローラ対
１５  ニップローラ駆動モータ
１６  カットローラ
１７  アンビルローラ
１８  カッター刃
１９  カットローラ駆動モータ
２０  刃物位置情報生成部
２１  カット位置を示す矢印
２２  排出ローラ対
２３  記録媒体スタッカ
２４  廃棄媒体スタッカ
２５  切換板
３１  制御部
３２  タイミング制御部
３３  上位装置
【図２】
2012000815.tif 000003
【図３】
2012000815.tif 000004
【図４】
2012000815.tif 000005
【図５】
2012000815.tif 000006
【図６】
2012000815.tif 000007
【図１】
2012000815.tif 000008